(57)【要約】【課題】  スタック等された複数のタグから不良と判定されたタグを容易に見つけることができるマーキング装置を提供することにある。【解決手段】  単葉状に切り離される複数の用紙Ｔが連続して形成された連続紙Ｐに切り込みを入れるマーキング装置５であって、前記連続紙Ｐが搬送される下台５２と、前記下台５２の上方に配置され、前記連続紙Ｐの中から不良が判明した前記用紙Ｔに前記切り込みを入れる刃先を有する上刃５１Ｂと、前記下台５２に形成され、前記用紙Ｔの搬送方向に延在し前記上刃５１Ｂを受け入れ可能なスリット５２Ｂと、前記上刃５１Ｂの刃先の近傍において、前記スリット５２Ｂの側面側に突出する凸部５１Ｑと、を有する。【選択図】図３
2015168041.tif 000002
【特許請求の範囲】
【請求項１】
単葉状に切り離される複数の用紙が連続して形成された連続紙に切り込みを入れるマーキング装置であって、
前記連続紙が搬送される下台と、
前記下台の上方に配置され、前記連続紙の中から不良が判明した前記用紙に前記切り込みを入れる刃先を有する上刃と、
前記下台に形成され、前記用紙の搬送方向に延在し前記上刃を受け入れ可能なスリットと、
前記上刃の刃先の近傍において、前記スリットの側面側に突出する凸部と、
を有することを特徴とするマーキング装置。
【請求項２】
前記上刃を受け入れた際の前記凸部に対向する前記スリットの側面に前記切り込みを折り曲げる方向に傾斜する斜面を設けたことを特徴とする請求項１に記載のマーキング装置。
【請求項３】
前記凸部が、前記刃先内に埋設されたバネと、前記バネによって付勢されるとともに前記上刃からの飛び出しが規制された球体と、を備えることを特徴とする請求項２に記載のマーキング装置。
【請求項４】
前記用紙にはＲＦＩＤインレイが設けられていることを特徴とする請求項１ないし３のいずれか１項に記載のマーキング装置。
【請求項５】
単葉状に切り離される複数の用紙が連続して形成された連続紙に切り込みを入れるマーキング方法であって、
前記連続紙を下台上で搬送する工程と、
前記連続紙の中から不良が判明した前記用紙に刃先の近傍に突出する凸部を有する上刃を用いて切り込みを入れる工程と、
前記下台に形成され、前記用紙の搬送方向に延在し前記上刃を受け入れ可能なスリット内で前記用紙の切り込まれた部分を前記上刃の前記凸部の押圧によって折り曲げる工程と、
を備えることを特徴とするマーキング方法。
【発明の詳細な説明】
【技術分野】
【０００１】
本発明はマーキング装置およびマーキング方法に関する。
【背景技術】
【０００２】
たとえば下記特許文献１には、ＩＣインレットロールから順次引き出されて搬送される複数のＩＣインレットから不良と判明されたＩＣインレットに、たとえばインクジェットプリンタを用いてマークを付する技術が開始されている。
【０００３】
この場合、不良のＩＣインレットに付されるマークは、油性インキ等によって描かれたものであり、それが目視できる状態にある場合において当該ＩＣインレットを判別し得るものであった。
【０００４】
それ故、たとえば、他のＩＣインレットと重なりあってスタック等された場合において、当該ＩＣインレットの中から判別するのは困難であるという不都合を有していた。
【先行技術文献】
【特許文献】
【０００５】
【特許文献１】特開２００４−８６６４９号公報
【発明の概要】
【発明が解決しようとする課題】
【０００６】
本発明は、このような事情に鑑みてなされたものであり、その目的は、スタック等された複数のタグから不良と判定されたタグを容易に見つけることができるマーキング装置およびマーキング方法を提供することにある。
【課題を解決するための手段】
【０００７】
本発明は、以下の構成によって把握される。
（１）本発明のマーキング装置は、単葉状に切り離される複数の用紙が連続して形成された連続紙に切り込みを入れるマーキング装置であって、前記連続紙が搬送される下台と、前記下台の上方に配置され、前記連続紙の中から不良が判明した前記用紙に前記切り込みを入れる刃先を有する上刃と、前記下台に形成され、前記用紙の搬送方向に延在し前記上刃を受け入れ可能なスリットと、前記上刃の刃先の近傍において、前記スリットの側面側に突出する凸部と、を有することを特徴とする。
（２）本発明のマーキング装置は、（１）の構成において、前記上刃を受け入れた際の前記凸部に対向する前記スリットの側面に前記切り込みを折り曲げる方向に傾斜する斜面を設けたことを特徴とする。
（３）本発明のマーキング装置は、（２）の構成において、前記凸部が、前記刃先内に埋設されたバネと、前記バネによって付勢されるとともに前記上刃からの飛び出しが規制された球体と、を備えることを特徴とする。
（４）本発明のマーキング装置は、（１）ないし（３）のいずれかの構成において、前記用紙にはＲＦＩＤインレイが設けられていることを特徴とする。
（５）本発明のマーキング方法は、単葉状に切り離される複数の用紙が連続して形成された連続紙に切り込みを入れるマーキング方法であって、前記連続紙を下台上で搬送する工程と、前記連続紙の中から不良が判明した前記用紙に刃先の近傍に突出する凸部を有する上刃を用いて切り込みを入れる工程と、前記下台に形成され、前記用紙の搬送方向に延在し前記上刃を受け入れ可能なスリット内で前記用紙の切り込まれた部分を前記上刃の前記凸部の押圧によって折り曲げる工程と、を備えることを特徴とする。
【発明の効果】
【０００８】
このように構成されたマーキング装置およびマーキング方法によれば、スタック等された複数のタグの中から不良と判定されたタグを容易に見つけることができるようになる。
【図面の簡単な説明】
【０００９】
【図１】本発明が適用されるタグ形成装置を示す構成図で、（ａ）は全体図、（ｂ）は連続紙供給装置、（ｃ）は連続紙排出装置、（ｄ）はカットスタック装置を示す図である。
【図２】本発明が適用される連続紙を示す図で、（ａ）は上面図、（ｂ）は連続紙の表面にタグごとに印刷されるバーコード等を示した図である。
【図３】（ａ）はマーキング装置の構成を示す斜視図、（ｂ）は上刃と下台との関係を示す正面図である。
【図４】（ａ）、（ｂ）は、下台上に配置された連続紙に上刃によって切り込みが形成される模様を示した図である。
【図５】上刃の刃先を示した拡大図である。
【図６】下台上の連続紙に切り込みが形成される模様を示した断面図である。
【図７】切り込みが入れられたタグの裏面を示す斜視図である。
【図８】タグがカットスタック装置にスタックされた状態を示す図である。
【図９】上刃駆動装置と下台の関係を示す上面図で、（ａ）は各上刃駆動装置に対応して配置される複数の下台を示し、（ｂ）は各上刃駆動装置に共通に形成される下台を示している。
【図１０】タグ形成装置に隣接させたてカットスタック装置を配置させた図である。
【発明を実施するための形態】
【００１０】
以下、添付図面を参照して、本発明を実施するための形態（以下、実施形態）について詳細に説明する。なお、実施形態の説明の全体を通して同じ要素には同じ番号を付している。
【００１１】
（実施形態１）
図１（ａ）は、本発明が適用されるタグ形成装置の全体を示す図である。図１（ａ）に示すように、タグ形成装置１０は、図中左側から右側へかけて、順次、連続紙供給装置１、エンコード装置２、印刷装置３、検査装置４、マーキング装置５、および連続紙排出装置６を備えている。
【００１２】
連続紙供給装置１では、図１（ｂ）に示すように、連続紙Ｐが‘Ｚ’字状に折り畳まれており、その一端がエンコード装置２に挿入されることにより、連続紙Ｐは図示しない搬送手段によって印刷装置３、検査装置４、マーキング装置５へ搬送されるようになっている。エンコード装置２では、搬送される連続紙Ｐに形成される各タグに対して情報の読取りおよび書き込みを行うようになっている。図２（ａ）は連続紙Ｐの一部を平面視した図であり、連続紙Ｐの幅方向（図中ｙ方向）に配列される複数（図では６個）のタグＴ（図中点線枠内）が搬送方向（図中ｘ方向）に連続して形成されるようになっている。なお、図中点線は切断予定のカットラインであり、各タグＴの一端部にはたとえば紐通しのタグホールＴＨが形成されている。連続紙Ｐの各長手方向辺の近傍には該辺に沿ってスプロケットホールＳＨが連続して形成され、連続紙ＰはスプロケットホールＳＨに噛合される図示しないスプロケット（搬送手段）の駆動によって搬送されるようになっている。また、連続紙Ｐには、各タグＴの形成領域にいわゆるＲＦＩＤインレイ１５が内蔵あるいはラミネートされ、このＲＦＩＤインレイ１５はＩＣチップ１５Ａとアンテナ１５Ｂを有している。なお、この明細書において、タグＴを、単葉状に切り離される用紙と称する場合がある。
【００１３】
図１（ａ）に戻り、印刷装置３では、搬送される連続紙Ｐに、たとえばレーザ等によって表面に印刷が施されるようになっている。連続紙Ｐの各タグＴの表面には、図２（ｂ）に示すように、たとえば、バーコード１１、数字１２、文字１３、その他の情報が印字されるようになっている。図１（ａ）に戻り、検査装置４では、エンコード装置２の出力に基づいて、各ＲＦＩＤインレイ１５の動作を検査するようになっている。マーキング装置５では、検査装置４の検査結果によって、不良と判明されたタグＴ（不良タグ）に切り込みによるマークを付するようになっている。このマーキング装置５の詳細な構成については後述する。連続紙排出装置６では、マーキング装置５からの連続紙Ｐを、図１（ｃ）に示すように、‘Ｚ’字状に折り畳むようになっている。ここで、‘Ｚ’字状に折り畳んだ連続紙Ｐは、通常、図１（ｄ）に示すように、タグ形成装置１０と分離した位置に配置されているカットスタック装置７にまで運ばれるようになっている。そして、連続紙Ｐの一端をカットスタック装置７に挿入することにより、連続紙ＰはタグＴごとにカットされ、カットされた複数のタグＴが箱体７Ａの内部において表裏面を互いに接触されてスタックされるようになっている。
【００１４】
次に、マーキング装置５について詳細に説明する。図３（ａ）は、マーキング装置５の構成を示す図である。図３（ａ）に示すマーキング装置５は、連続紙Ｐの搬送方向（図中ｘ方向）の上流側から観た図となっている。
【００１５】
なお、図３（ａ）は、図中ｙ方向にたとえば６個並設されるうちの１個のマーキング装置５を示している。マーキング装置５は、連続紙Ｐの幅方向（図中ｙ方向）に形成されるタグＴの数（たとえば６個）に対応して設けられている。すなわち、図９（ａ）の上面図に示すように、マーキング装置５は、連続紙Ｐの搬送方向と直交する方向（図中ｙ方向）に６個並列されて設けられている。マーキング装置５は、それぞれ、点線枠で示す上刃駆動装置５１と、この上刃駆動装置５１の下方から連続紙Ｐの搬送方向（図中ｘ方向）に所定の長さだけ延在して配置される下台５２と、を含むように構成されている。
【００１６】
図３（ａ）に戻り、マーキング装置５は、連続紙Ｐが搬送される下台５２の上流側の上方に上刃駆動装置５１を有する。上刃駆動装置５１は、上段に駆動源５１Ａが、下段に該駆動源５１Ａによって回転する上刃５１Ｂが配置され、該上刃５１Ｂの回転軸５１Ｃは図中ｙ方向に延在され上刃駆動装置５１の外枠５１Ｆに支持されて構成されている。
【００１７】
上刃５１Ｂは、回転軸５１Ｃを中心に相対する二方向に延在され、これら延在端のそれぞれに一対の刃先５１Ｅを有して構成されている。また、下台には、上刃５１Ｂの回転によって各刃先５１Ｅを挿入して受け入れるスリット５２Ａが形成されている。このスリット５２Ａは、下台５２の一方の長手方向辺に近接して連続紙Ｐの搬送方向に延在して形成されている。
ここで、図３（ｂ）は、上刃５１Ｂの刃先５１Ｅと下台５２のスリット５２Ａとの関係を示した図である。図３（ｂ）は、下台５２のスリット５２Ａに上刃５１Ｂの刃先５１Ｅが挿入された状態を示している。図３（ｂ）に示すように、上刃５１Ｂの刃先５１Ｅは、上刃５１Ｂの一方の面において垂直面５１Ｐを、他方の面において斜面５１Ｓを有することによって形成されている。また、下台５２のスリット５２Ａは、刃先５１Ｅの垂直面５１Ｐ側の側面において、深さ方向に向かうにつれ外側に傾斜する斜面５２Ｓを、他方の側面において垂直面５２Ｐを有するように形成されている。
【００１８】
また、上刃５１Ｂの刃先５１Ｅの近傍の垂直面５１Ｐに凸部５１Ｑが形成されている。この凸部５１Ｑは下台５２のスリット５２Ａの斜面５２Ｓに対向するように（スリットの側面側）に形成されている。そして、凸部５１Ｑは、たとえば図５に示すように、刃先５１Ｅ内に埋設されたバネ６０と、このバネ６０によって付勢されるとともに刃先５１Ｅの垂直面５１Ｐからの飛び出しが規制された球体６２によって形成されている。これにより、凸部５１Ｑは、通常、刃先５１Ｅから球体６２が突出するようになっているが、外部から力が加わった場合には容易に引っ込むようになっている。
【００１９】
このように上刃５１Ｂの刃先５１Ｅと下台５２のスリット５２Ａを形成することにより、後の説明で明らかとなるように、タグＴに形成される切り込みにおいて確実に折り曲げ部ＢＤ（図６参照）を形成できるようになる。
【００２０】
上述のように、一対の刃先５１Ｅを有する上刃５１Ｂは、その回転により、たとえば、一方の刃先５１Ｅによって一つのタグＴに切り込みを入れ、他方の刃先５１Ｅによって後続するタグＴに切り込みを入れるようにして動作が繰り返されるようになっている。
【００２１】
一方、下台５２のスリット５２Ａは、その長手方向に沿って幅がほぼ等しく、上刃５１Ｂの刃先５１Ｅを受け入れる（挿入する）下刃としての機能を有するようになっている。これにより、連続紙ＰのタグＴが下台５２の上方に位置づけられた際に、上刃５１Ｂの刃先５１Ｅによって、タグＴに切り込みが形成されるようになっている。
【００２２】
図４（ａ）、（ｂ）は、下台５２上に配置された連続紙Ｐに上刃駆動装置５１の上刃５１Ｂによって切り込みが形成される模様を示した図である。図４（ａ）、（ｂ）は、上刃駆動装置５１を連続紙Ｐの搬送方向から観た正面図である。
【００２３】
まず、図４（ａ）は、上刃５１Ｂの刃先５１Ｅが下台５２のスリット５２Ａに挿入されていない状態を示している。下台５２上の連続紙ＰのタグＴにはいまだ切り込みが形成されていない。そして、図４（ｂ）は、上刃５１Ｂの回転により、その刃先５１Ｅが下台５２のスリット５２Ａに挿入された状態を示している。上刃５１Ｂの刃先５１Ｅが下台５２のスリット５２Ａに挿入されることにより、連続紙ＰのタグＴに切り込みが形成され、その切り込みによって折り曲げ部ＢＤが形成されるようになる。
【００２４】
ここで、折り曲げ部ＢＤは、図６に示すように、下台５２のスリット５２Ａには、その刃先５１Ｅの垂直面５１Ｐ側の側面において、外側に傾斜する斜面５２Ｓを有するため、連続紙Ｐに形成された折り曲げ部ＢＤは、連続紙Ｐに対して鋭角θ（０°＜θ＜９０°）を有し、確実に折り曲げられるようになる。この場合、上刃５１Ｂの刃先５１Ｅに形成された凸部５１Ｑが折り曲げ部ＢＤをスリット５２Ａの斜面５２Ｓ側へ押す働きを（押圧）するため、折り曲げ部ＢＤに上記鋭角θを有するように折り曲げることが確実となる。
【００２５】
このようなマーキング装置（マーキング方法）によれば、切り込みが入れられたタグＴは、その裏面を図７に示すように、一方の長手方向辺に沿った折り曲げ部ＢＤが形成され、該折り曲げ部ＢＤはタグＴに対してほぼ垂直に起立した状態を維持して形成される。
【００２６】
図８は、不良とされたタグＴに切り込みを入れた連続紙Ｐをカットスタック装置７（図１（ａ）参照）によってタグＴごとにカットした後にスタックした状態を示す図である。図８に示すように、カットスタック装置７には一方向に沿って形成される断面視が矩形の箱体７Ａを有し、この箱体７Ａ内に複数のタグＴが表裏面を接触させて収納されている。この場合、不良とされたタグＴには、その一方の面に折り曲げられた折り曲げ部ＢＤを有することから、該折り曲げ部ＢＤによって隣接する他のタグＴとの間に隙間Ｓが形成され、不良とされたタグＴを一見して判別することができるようになる。
【００２７】
（実施形態２）
実施形態１では、マーキング装置５の下台５２は、図９（ａ）に示したように、各上刃駆動装置５１と対になるように上刃駆動装置５１ごとに設けられたものとして構成した。しかし、これに限定されることはなく、たとえば、図９（ｂ）に示すように、各下台５２は互いに一体のものとして形成するようにしてもよいことはもちろんである。各上刃駆動装置５１は、不良が判明したタグＴに応じて独立に駆動されるが、各下台５２は対応する上刃駆動装置５１の動作と関係なく共通のものとして形成することができるからである。
【００２８】
（実施形態３）
実施形態１では、図１（ａ）に示したように、カットスタック装置７をタグ形成装置１０に対して分離した位置に配置されたものである。しかし、これに限定されることはなく、図１０に示すように、カットスタック装置７をタグ形成装置１０に隣接させて配置し、タグ形成装置１０のマーキング装置５から搬送されてくる連続紙Ｐを直接にカットスタック装置７へ送出させるようにしてもよいことはもちろんである。この場合、図１（ａ）において必要とされた連続紙排出装置６を不要とすることができるようになる。なお、図１０に示すカットスタック装置７の動作は図１（ｄ）に示したカットスタック装置７と同様となっている。
【００２９】
（実施形態４）
上述した実施形態では、複数のタグＴが連続して形成された連続紙Ｐを例に挙げて説明したものである。しかし、これに限定されることはなく、複数のラベルが連続して形成される連続紙においても適用できることはいうまでもない。要は、単葉状に切り離される複数の用紙（タグ、ラベル等）が連続して形成された連続紙であれば適用することができる。
【００３０】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３１】
１                  連続紙供給装置
２                  エンコード装置
３                  印刷装置
４                  検査装置
５                  マーキング装置
６                  連続紙排出装置
７                  カットスタック装置
７Ａ                箱体
１０                タグ形成装置
５１                上刃駆動装置
５１Ａ              駆動源
５１Ｂ              上刃
５１Ｃ              回転軸
５１Ｅ              刃先
５１Ｆ              外枠
５１Ｐ              垂直面
５１Ｑ              凸部
５１Ｓ              斜面
５２                下台
５２Ａ              スリット
５２Ｓ              斜面
５２Ｐ              垂直面
６０                バネ
６２                球体
ＳＨ                スプロケットホール
Ｔ                  タグ
Ｐ                  連続紙
ＢＤ                折り曲げ部
【図１】
2015168041.tif 000003
【図２】
2015168041.tif 000004
【図３】
2015168041.tif 000005
【図４】
2015168041.tif 000006
【図５】
2015168041.tif 000007
【図６】
2015168041.tif 000008
【図７】
2015168041.tif 000009
【図８】
2015168041.tif 000010
【図９】
2015168041.tif 000011
【図１０】
2015168041.tif 000012